(57)【要約】【課題】被取付体に注意荷札を取り付ける際に、各種の嵌着径に対応可能であり、簡単に取付けることができ、被取付体から注意荷札を取り外す場合にも簡単、かつ、取り外し忘れることなく確実に取外すことができ、安価で、十分な取付強度があり、かつ、取り外し後の廃棄処分が簡単であるとともに、不要時に蓋体を取外すと同時に注意荷札も取外すことができる注意荷札を提供する。【解決手段】注意荷札用のシート本体の外周よりシート状の挟持突出片を突出形成し、この挟持突出片の先端側の幅を小さく、基端側に向かって大きく形成するとともに、被取付体の嵌着部とこれを被蓋する蓋体との間に前記挟持突出片を介在させ、かつ、前記挟持突出片の適宜の幅を有する位置に挟持させるようにした注意荷札の取付構造。【選択図】図１
2012242571.tif 000002
【特許請求の範囲】
【請求項１】
注意荷札用のシート本体の外周よりシート状の挟持突出片を突出形成し、この挟持突出片の先端側の幅を小さく、基端側に向かって大きく形成するとともに、被取付体の嵌着部とこれを被蓋する蓋体との間に前記挟持突出片を介在させ、かつ、前記挟持突出片の適宜の幅を有する位置に挟持させるようにした注意荷札の取付構造。
【請求項２】
前記被取付体は、配管器材であり、この配管器材に設けた前記嵌着部である雌ねじ口とこれを被蓋する前記蓋体である防塵キャップとの間に前記シート本体の挟持突出片を挟持させ、この挟持突出片の挟持位置は、前記配管器材の配管径に応じて前記挟持突出片の適宜の幅を有する位置を挟持させた請求項１に記載の注意荷札の取付構造。
【請求項３】
前記配管器材は、スプリングリターン型アクチュエータであり、このアクチュエータは、ピストンロッドの往復運動を回転運動に変換する回転変換機構の一側にシリンダ機構と、他側にスプリング機構を設けた構造を有し、このアクチュエータに設けた吸排気口の雌ねじ口とこれを一時的に被蓋する防塵キャップとの間に前記挟持突出片を挟持させ、前記吸排気口の口径に対応して前記挟持突出片の適宜の幅を有する位置に挟持させるとともに、前記防塵キャップの取り外しと同時に前記シート本体も取り外し可能とした請求項２に記載の注意荷札の取付構造。
【請求項４】
前記挟持突出片を防塵キャップで前記雌ねじ口に挟持したときの当該挟持突出片の幅は、前記雌ねじ口の雌ねじ内周長に対して、１０〜２５％である請求項２又は請求項３に記載の注意荷札の取付構造。
【請求項５】
耐水性と柔軟性を有し、かつ、適宜の注意内容を記述した紙状のシート本体を構成し、このシート本体の外周の一部より挟持突出片を一体に突出形成し、この挟持突出片の先端側の幅を小さく、基端側に向かって大きな幅を有するように形成したことを特徴とする注意荷札。
【請求項６】
前記挟持突出片の両側の幅は、先端から基端側に沿って当該挟持突出片の両側を順次拡げるようなテーパ形状又は台形状である請求項５に記載の注意荷札。
【発明の詳細な説明】
【技術分野】
【０００１】
本発明は、注意荷札の取付構造とこれに用いる注意荷札に関し、特にアクチュエータ、バルブ類の配管器材への注意喚起方法として注意荷札を取付ける取付け構造と注意荷札に関する。
【背景技術】
【０００２】
配管器材（バルブ、アクチュエータ類）を製造するメーカは、製品を出荷する際に、ユーザが正しく、かつ安全に製品を使用することができるようにするため、当該製品の取扱いに関する注意内容を製品に表示している。
【０００３】
配管器材への当該配管器材の取扱いに関する注意内容の表示には、図８に示すように、注意内容を記述した注意荷札を製品の外部に針金で固着させて表示する方法があり、その他は、注意内容を印刷等したシールを製品の表面に貼着して表示する方法がある。
【０００４】
配管器材に表示された注意内容がその配管器材を設置し、使用を開始するまでの間の作業内容に関するものである場合には、配管器材の使用が開始された後には当該表示は不要となるが、不要となった表示を取付けたままの状態で配管器材を使用している場合も多く見受けられる。このような状況は、単に当該配管器材の外観が乱雑で見苦しいだけでなく、作業者が勘違いして不要な注意内容に惑わされ、配管器材の故障や作業事故を発生させるおそれもあるため好ましくない。
【０００５】
このように、不要となった注意内容が表示されたまま配管器材を使用する状況が発生する原因は、注意荷札による表示の場合には、荷札が針金により製品の一部に強固に取付けられているため、取り外すのに意外と手数がかかって面倒なためであり、シールによる表示の場合には、シールの粘着力が強すぎ、シールを配管器材の表面から剥がすことが困難なためである。
【０００６】
さらに、注意荷札は、荷札用紙、針金、補強部、留め金などの異なった材質の部品で構成されているため、配管器材からの取外した後、材質毎に分別して廃棄処分する必要があり、このことが注意荷札の配管器材からの取外しをさらに面倒な作業にしている。
【０００７】
特に、配管器材がスプリングリターン型アクチュエータの場合には、取り扱いに関する注意内容の表示は、より重要になる。図８に示すスプリングリターン型アクチュエータ１は、ピストンの往復運動のうち、往きはピストンを加圧することにより作動し、戻りは圧縮されたスプリングの反力により作動する。ピストンの運動によりピストン背面側に体積変化が起こるため、このピストン背面側の部屋の空気を排気及び吸気するために吸排気口を設けている。この吸排気口は、雨水やゴミの浸入を防止するため、通常下向きに設けられる。
【０００８】
前記吸排気口には、設置を完了するまでの間に、図８に示すように、スプリングリターン型アクチュエータ１の内部にゴミ等が入ることを防止するための防塵キャップ２が取付けられ、当該アクチュエータを使用する前には防塵キャップ２を取外す必要がある旨が記述された注意荷札３が針金４によりタイロッド５等に結び付けられ、注意内容を表示している。
【０００９】
前記吸排気口は、製品の下面側など分かりにくい箇所に設けられていることがあるため、例え製品に注意荷札が表示されていても、その表示箇所が吸排気口から離れていると、防塵キャップ２を取外すことを忘れてしまう場合がある。防塵キャップ２を取外さずにスプリングリターン型アクチュエータ１を使用すると、本来の性能が発揮されずに作動不良となる場合があり、また、毛細管現象により、防塵キャップ２と吸排気口の隙間を通って水が内部に侵入し、内部を腐食させる可能性もある。
【００１０】
したがって、スプリングリターン型アクチュエータの防塵キャップの除去のように、忘れることなく確実に実施することが求められる作業については、その作業の実施についての注意喚起を、作業者が見落とすことがない様に表示する必要がある。また、当該作業の終了後に、もはや不要となった注意喚起の表示が残されたままの状態で配管器材が使用されることがないように、簡単に除去できる方法で表示することが望まれる。
【００１１】
ところで、従来から提案されている注意荷札には、例えば、特許文献１や特許文献２などが知られている。
特許文献１には、取付環と吊糸と札本体により構成され、札本体に注意内容を記述し、取付環により対象物の突起部に簡単に取付けることができる下げ札が提案されている。この特許文献１に記載された下げ札は、取付環を防塵キャップの挿入筒部に外嵌し、防塵キャップを吸排気口に取付けることにより、簡単に作業を行うべき部品自体に注意喚起を表示することができる。また、防塵キャップを取外せば、下げ札も一緒に取外すことができる。
【００１２】
また、特許文献２には、取付紐を係止孔に挿通させるだけで簡単に取り付けることができ、被表示体の配置方向に左右されることなく、表示された注意内容が正しい向き及び配置となるべく被表示対に取り付けることができるため、表示を見落したり、見誤ったりするおそれが少ない表示札が提案されている。この特許文献２に記載された表示札は、表示プレートと、この表示プレートを被表示体に取付けるための取付紐が軟質合成樹脂又はゴム等によって一体に成形されており、被表示体に取付ける際には、取付紐を係止孔に挿通させるだけで簡単に取り付けることができる。
【先行技術文献】
【特許文献】
【００１３】
【特許文献１】登録実用新案第３０６３２７６号公報
【特許文献２】特開平１０−２７４９３７号公報
【発明の概要】
【発明が解決しようとする課題】
【００１４】
しかしながら、この特許文献１に記載された下げ札は、取付環、吊糸、札本体により構成されているので、配管部材の使用を開始するまでの間しか使用しない割にはコストアップになり、また、異なった材質の部品で構成されているため、取外し後、材質毎に分別して廃棄処分する必要があるという煩雑さは解消されないという問題がある。
【００１５】
また、特許文献２に記載されている表示札は、取り外す際には、係止孔に挿通されている取付紐を引き抜くか、取付紐を切断する必要があるため、取り外しが面倒であるという問題があるとともに、取り外し後、材質毎に分別して廃棄処分するという問題が依然として存在する。
【００１６】
本発明は、上記の課題点を解決するために開発したものであり、その目的とするところは、被取付体に注意荷札を取り付ける際に、各種の嵌着径に対応可能であり、簡単に取付けることができ、被取付体から注意荷札を取り外す場合にも簡単、かつ、取り外し忘れることなく確実に取外すことができ、安価で、十分な取付強度があり、かつ、取り外し後の廃棄処分が簡単であるとともに、不要時に蓋体を取外すと同時に注意荷札も取外すことができる注意荷札を提供することにある。
【課題を解決するための手段】
【００１７】
上記目的を達成するため、請求項１に係る発明は、注意荷札用のシート本体の外周よりシート状の挟持突出片を突出形成し、この挟持突出片の先端側の幅を小さく、基端側に向かって大きく形成するとともに、被取付体の嵌着部とこれを被蓋する蓋体との間に前記挟持突出片を介在させ、かつ、前記挟持突出片の適宜の幅を有する位置に挟持させるようにした注意荷札の取付構造である。
【００１８】
請求項２に係る発明は、前記被取付体は、配管器材であり、この配管器材に設けた前記嵌着部である雌ねじ口とこれを被蓋する前記蓋体である防塵キャップとの間に前記シート本体の挟持突出片を挟持させ、この挟持突出片の挟持位置は、前記配管器材の配管径に応じて前記挟持突出片の適宜の幅を有する位置を挟持させた注意荷札の取付構造である。
【００１９】
請求項３に係る発明は、前記配管器材は、スプリングリターン型アクチュエータであり、このアクチュエータは、ピストンロッドの往復運動を回転運動に変換する回転変換機構の一側にシリンダ機構と、他側にスプリング機構を設けた構造を有し、このアクチュエータに設けた吸排気口の雌ねじ口とこれを一時的に被蓋する防塵キャップとの間に前記挟持突出片を挟持させ、前記吸排気口の口径に対応して前記挟持突出片の適宜の幅を有する位置に挟持させるとともに、前記防塵キャップの取り外しと同時に前記シート本体も取り外し可能とした注意荷札の取付構造である。
【００２０】
請求項４に係る発明は、前記挟持突出片を防塵キャップで前記雌ねじ口に挟持したときの当該挟持突出片の幅は、前記雌ねじ口の雌ねじ内周長に対して、１０〜２５％である注意荷札の取付構造である。
【００２１】
請求項５に係る発明は、耐水性と柔軟性を有し、かつ、適宜の注意内容を記述した紙状のシート本体を構成し、このシート本体の外周の一部より挟持突出片を一体に突出形成し、この挟持突出片の先端側の幅を小さく、基端側に向かって大きな幅を有するように形成したことを特徴とする注意荷札である。
【００２２】
請求項６に係る発明は、前記挟持突出片の両側の幅は、先端から基端側に沿って当該挟持突出片の両側を順次拡げるようなテーパ形状又は台形状である注意荷札である。
【発明の効果】
【００２３】
請求項１に係る発明によると、被取付体の嵌着部の嵌着径が異なっても、注意荷札の挟持突出片の幅を各種の嵌着径に対応可能に形成しているので、注意荷札を必要な期間中に確実に装着することが可能であり、不要時に蓋体を取り外すと同時に注意荷札も取り外すことができるため、取り忘れのおそれがなく、その実用価値は極めて大きい。
【００２４】
請求項２に係る発明によると、バルブやアクチュエータ類の配管器材の雌ねじ口にシート本体の挟持突出片を防塵キャップで挟持できるので、各種の配管径に応じて注意荷札を防塵キャップ自体に直接取り付けることができるため、配管器材の注意荷札としてより効果的な注意喚起が可能となる。
【００２５】
請求項３に係る発明によると、スプリングリターン型アクチュエータの吸排気口がアクチュエータの下部に設けられていても、防塵キャップと同時に注意荷札を取り外すことができ、防塵キャップの取り外しを忘れるおそれがなく、アクチュエータを工場出荷から設置までの間、作業者への注意喚起を行い、アクチュエータの設置作業で、防塵キャップと同時に注意荷札を取り外すことが可能となる。
【００２６】
請求項４に係る発明によると、注意荷札は、雌ねじ口のねじ山で確実に保持され、しなやかさを保ち、かつ十分な保持時力を発揮することができる。
【００２７】
請求項５に係る発明によると、耐水性としなやかさを保ち、各種の雌ねじ口等に確実に挟持され、必要な期間中に脱落するおそれがなく、確実に保持され、しかも、構成が簡単であるから、安価に量産に供することができる。
【００２８】
請求項６に係る発明によると、各種の取付口径に応じて確実に注意荷札を取り付けることが可能となり、もって、その実用的価値は大きい。
【図面の簡単な説明】
【００２９】
【図１】本発明における注意荷札をスプリングリターン型アクチュエータに取付けた状態を示す正面図である。
【図２】同上のスプリングリターン型アクチュエータの断面図である。
【図３】図２に示すスプリングリターン型アクチュエータのシリンダ機構の拡大断面図である。
【図４】本発明における注意荷札の平面図である。
【図５】本発明における注意荷札を嵌着部である嵌着孔に取付ける前の状態示す一部切欠き拡大断面図である。
【図６】本発明における注意荷札を嵌着部である嵌着孔に取付けた状態を示す一部切欠き拡大断面図である。
【図７】注意荷札の試験片の説明図である。
【図８】従来の注意荷札をスプリングリターン型アクチュエータに取付けた状態を示す正面図である。
【発明を実施するための形態】
【００３０】
以下に、本発明における注意荷札の取付構造とこれに用いる注意荷札の一実施形態を図面に基づいて詳細に説明する。
図１は本発明における注意荷札をスプリングリターン型アクチュエータに防塵キャップを用いて取付けた状態を示す正面図であり、図２は図１のスプリングリターン型アクチュエータの断面図であり、図３は図１のスプリング型アクチュエータのシリンダ機構の拡大断面図であり、図４は注意荷札の平面図である。
【００３１】
図４に示すように、本発明における注意荷札６は、注意内容を記述する部位であるシート本体７と、注意荷札６を被取付体１の嵌着部９に取付ける部位である挟持突出片８とから構成され、挟持突出片８はシート本体７の外周より一体に突出形成されている。注意荷札６の材質としては、耐水性と柔軟性を有する紙状のシートが望ましく、例えば、プラスチック製の紙が適している。この注意荷札６の厚さは、従来技術に示した札と同等である。
【００３２】
注意荷札６は、被取付体１の嵌着部である嵌着孔９とこれを被蓋する蓋体２との間で挟持突出片８を挟持させることにより、被取付体１の嵌着部９に取付けられる取付構造を有している。
【００３３】
被取付体１の嵌着部である嵌着孔９には種々のサイズが存在するため、注意荷札６の挟持突出片８は、各種の嵌着孔９の嵌着径に対応可能である必要がある。このため、挟持突出片８は、先端側の幅を小さく、基端側に向かって大きな幅を有するように形成されている。これにより、挟持突出片８の適宜の幅を有する部分で、挟持突出片８を被取付体１の嵌着孔９に取付けることができる。
【００３４】
注意荷札６を取付ける被取付体１には、アクチュエータ、バルブ等の配管器材がある。配管部材は、工場出荷から器材設置までの間、内部にゴミ等が入らないよう、開口部に蓋体である防塵キャップ２を取付けている。この防塵キャップ２は、配管器材の設置が完了した後、必ず取外されるべき部材であるが、場合によっては取外されないこともある。
防塵キャップ２について取外しの注意喚起を行うため、配管部材に注意荷札を取付ける場合、本発明における注意荷札６を用いると、配管部材の嵌着部９である開口部と当該開口部を被蓋する防塵キャップ２とにより、注意荷札６の挟持突出片８を挟持するだけで簡単に注意荷札６を取付けることができるとともに、防塵キャップ２を取り外すだけで、確実に注意荷札６を取り外すことが可能となる。さらに、取外す必要がある防塵キャップ２自体に、直接その防塵キャップに関する注意内容を記述した注意荷札６を取付けることができるため、効果的に注意喚起を行うことができる。
【００３５】
本発明における注意荷札６を被取付体であるスプリングリターン型アクチュエータ１に取り付けて使用する例について説明する
【００３６】
図１に示すスプリングリターン型アクチュエータ１は、図２に断面図に示すように、空気圧により作動するピストンロッド１０の往復運動を回転運動に変換する回転変換機構１１を内蔵したケース１２の一側にシリンダ機構１３、他側にスプリング機構１４を設けた構造を有している。ピストンロッド１０の往復運動のうち、往きはピストン１５の前面側１６を空気で加圧することにより作動し、戻りは圧縮されたスプリング１７の反力により作動する。ピストン１５の往復運動によりピストン１５の背面側１８に体積変化が起こるため、ピストン背面側の部屋１９の空気を排気及び吸気する吸排気口２０が設けられている。
【００３７】
図３に示すように、吸排気口２０には、他の配管器材を取付ける場合があるため、それらを螺着するための雌ねじ部２１が形成されており、スプリングリターン型アクチュエータ１の外表面には雌ねじ口２２が開口している。この雌ねじ口２２には、スプリング型アクチュエータ１の設置が終了するまでの間、シリンダ室１９内にゴミ等が入らないようにするため、防塵キャップ２が嵌め込こまれて閉塞される。
【００３８】
この防塵キャップ２は合成樹脂製であり、図５に示すように、上部に形成された鍔部２３と、その下部に先端に向かって若干テーパして細くなる挿入部２４を有している。挿入部２４の鍔部２３直近の直径は雌ねじ部２１の内径より若干大きいため、防塵キャップ２の挿入部２４を雌ねじ口２２に挿入し、鍔部２３の下面がスプリングリターン型アクチュエータ１の外表面の当たるまで押し込むと、雌ねじ部２１のねじ山２５の頂部が挿入部２４の外表面に食い込んで防塵キャップ２を係止するとともに、雌ねじ口２２は防塵キャップ２の鍔部２３で覆われ、雌ねじ口２２は確実に閉塞される。
【００３９】
この雌ねじ口２２に注意荷札６を取付けるにあたっては、図５に示すように、注意荷札６の挟持突出片８の適宜の幅の部分まで、嵌着孔９である吸排気口２０に形成された雌ねじ口２２に差し入れて保持し、その後、通常の作業と同様に蓋体である防塵キャップ２の挿入部２４を雌ねじ口２２に挿入し、鍔部２３の下面がスプリングリターン型アクチュエータ１の外表面の当たるまで押し込むだけでよい。
【００４０】
防塵キャップ２で雌ねじ口２２を被蓋して注意荷札６の挟持突出片８を挟み込むと、図６に示すように、挟持突出片８は防塵キャップ２の挿入部２４と雌ねじ口２２の内部に形成されている雌ねじ部２１のねじ山２５の頂部とにより挟持され、嵌着部９である雌ねじ口２２に確実に取付けられる。
【００４１】
挟持突出片８の幅が雌ねじ部２１のねじ内周長に対して大きくなると、防塵キャップ２とねじ山２５の頂部とが引っ掛かる部分が少なくなる。このため、防塵キャップ２を係止する力が低下し、防塵キャップ２の脱落を招く。また、嵌着孔９である吸排気口２０に挟持突出片８を防塵キャップ２の挿入部２４により嵌め込むため、挟持突出片８は雌ねじ部２１内周に沿って筒状に丸められるので、挟持突出片８と一体に形成されているシート本体７も湾曲し、注意荷札６はしなやかさを失う。注意荷札６は、ある程度のしなやかさを持って被取付体１に取付けられた方が、外力に対して柔軟であり、脱落しにくい。そこで、注意荷札６がしなやかさを有し、吸排気口２０に確実に保持される保持力を発揮するためには、嵌着部９における挟持突出片８の幅が雌ねじ部２１のねじ内周長に対し、１０〜２５％程度（後述の実施例参照）であることが望ましい。
【００４２】
挟持突出片８は、先端側の幅を小さく、基端側に向かって大きな幅を有するように形成されているので、被取付体１の嵌着孔９の嵌着径が異なっても、挟持突出片８の先端から基端までの間で、幅がねじ内周長に対し１０〜２５％となる部分を用い、嵌着部９である雌ねじ口２２に取り付けることができる。このため、注意荷札６は十分な取付け強度としなやかさを保った状態で嵌着部９に保持され、取り付けている間に千切れて脱落することがない。
【００４３】
スプリングリターン型アクチュエータ１の取付け作業が完了した後、使用開始に先立って防塵キャップ２を取り外せば、防塵キャップ２の挿入部２４と雌ねじ部２１のねじ山２５の頂部とにより挟持突出片８を挟持していた保持力が消失する結果、防塵キャップ２を取り外すと同時に注意荷札６もスプリングリターン型アクチュエータ１の取付け部である吸排気口２０から取り外すことができる。
【００４４】
注意荷札６は、シート本体７と挟持突出片８を同じ材質で一体に形成しているので、注意荷札６を取り外した後に分別する必要がなく、そのまま廃棄処分することができる。
【００４５】
以上のとおり、本発明における注意荷札６によれば、防塵キャップ２で雌ねじ口２０を被蓋する際に、注意荷札６の挟持突出片８を適宜な幅の部分まで雌ねじ口２０に差し入れ、防塵キャップ２を取付けるだけで、簡単に注意荷札６をスプリングリターン型アクチュエータ１取り付けることができる。しかも、防塵キャップ２に関する作業の注意事項を記述した注意荷札６をその作業対象である防塵キャップ２に直接取付けることができるので、作業者に対し効果的に注意喚起を行うことができる。
【００４６】
また、スプリングリターン型アクチュエータ１の取付け完了後に作業者がその防塵キャップ２を取外すと同時に、そこに取付けられていた注意荷札６も確実に取外すことができるため、不要となった注意荷札６を取り忘れるおそれもないので、作業性に優れており、その実用的価値は大きい。
【００４７】
さらには、注意荷札６は、シート本体７と挟持突出片８を一体に同じ材質で形成しているので、スプリングリターン型アクチュエータ１から取り外した後に注意荷札６を分別する必要はなく、そのまま廃棄処分することができるので、取扱いが極めて容易である。
【実施例】
【００４８】
以下に、配管器材の雌ねじ口に防塵キャップを使用して注意荷札を取り付ける場合の、挟持突出片の引張強度と雌ねじ内周長との最適比率検証を実施した例を説明する。図７は、注意荷札６に対応した試験片イの説明図である。
【００４９】
本試験では、図７において、注意荷札の挟持突出片ロの横幅ａの寸法が、雌ねじ内周長に対しどの位の比率であれば十分な保持力を維持することができるのかを検証した。評価においては、試験片が２０Ｎの引張加重まで保持されれば、保持力ありと判定した。なお、図中ハは穴である。
【００５０】
試験片イを取付ける雌ねじ口を模擬するため、呼び径１／８、１／４、１／２の雌ねじを使用した。この雌ねじに対し、挟持突出片ロの横幅ａを３ｍｍ、１０ｍｍ、２０ｍｍの３通りに形成した試験片イを雌ねじの各呼び径に対応したサイズの防塵キャップにより取付け、試験片イの穴ハに引張加重を徐々に負荷し、試験片が引き抜けたり、防塵キャップが外れたりの何らかの変化が生じた時の引張荷重の値を記録した。
【００５１】
【表１】
2012242571.tif 000003
【００５２】
試験結果は表１に示すとおりであり、ａの寸法が、雌ねじの内周長に対して１０〜７０％の範囲にあれば、十分な保持力が発揮されることを確認できた。
【００５３】
一方、前述したように、ａの寸法が大き過ぎると、注意荷札１が全体として湾曲し、取付けた状態でのしなやかさが失われる。しなやかさが失われず、かつ、十分な保持力を発揮するためには、ａの寸法が雌ねじ内周長の１０〜２５％の範囲にある必要がある。
【００５４】
ａの寸法を雌ねじ内周長の２０％とした場合、各呼び径に対応するａの寸法は、表２に示すとおりである。
【００５５】
【表２】
2012242571.tif 000004
【００５６】
本発明における注意荷札の取付構造によると、配管器材に防塵キャップを取り付ける場合に、使用開始に先立って取外す必要がある防塵キャップに、当該防塵キャップに関する注意内容が記述された注意荷札を簡単に取り付け、保持させることができるとともに、使用開始に先立ち、その防塵キャップを取り外すと同時に、注意荷札も確実に取り外すことができるので、利用価値は極めて大きい。この場合、注意に札の幅は、先端が細くなるテーパまたは曲線が好ましい。
【符号の説明】
【００５７】
１  被取付体（スプリングリターン型アクチュエータ）
２  蓋体（防塵キャップ）
６  注意荷札
７  表示シート体
８  挟持突出片
９  嵌着部（嵌着孔）
２１  雌ねじ部
２２  雌ねじ口
【図１】
2012242571.tif 000005
【図２】
2012242571.tif 000006
【図３】
2012242571.tif 000007
【図４】
2012242571.tif 000008
【図５】
2012242571.tif 000009
【図６】
2012242571.tif 000010
【図７】
2012242571.tif 000011
【図８】
2012242571.tif 000012